(57)【要約】  本発明は、容易かつ迅速に、開封し、収納物を取り出すことができる包材および医療用具包装体を提供することを目的とする。  本発明の包材（２）は、開口（４１）を有する容器本体（４）と、前記容器本体（４）の前記開口（４１）を覆い、前記容器本体（４）に剥離可能に接合された蓋材（５）と、前記容器本体（４）から前記蓋材（５）を一方向に剥離する際に把持され、前記蓋材（５）の端部に、前記一方向に伸びるように設けられた把持部（６）とを有し、前記把持部（６）は、前記蓋材（５）に当接し、前記蓋材（５）と前記把持部（６）との間に空間を形成する湾曲部または屈曲部を有することを特徴とする。
2014132924.tif 000002
【特許請求の範囲】
【請求項１】
開口を有する容器本体と、  前記容器本体の前記開口を覆い、前記容器本体に剥離可能に接合された蓋材と、  前記容器本体から前記蓋材を一方向に剥離する際に把持され、前記蓋材の端部に、前記一方向に伸びるように設けられた把持部とを有し、  前記把持部は、前記蓋材に当接し、前記蓋材と前記把持部との間に空間を形成する湾曲部または屈曲部を有することを特徴とする包材。
【請求項２】
開口を有する容器本体と、  前記容器本体の前記開口を覆い、前記容器本体に剥離可能に接合された蓋材と、  前記容器本体から前記蓋材を一方向に剥離する際に把持され、前記蓋材の端部に、前記一方向に伸びるように設けられた把持部とを有し、  前記把持部の一部は、前記蓋材の剥離を開始する側と反対側の端部を越えた位置に位置していることを特徴とする包材。
【請求項３】
前記把持部は、前記蓋材側に折り返された折り返し部を有する請求項１または２に記載の包材。
【請求項４】
前記把持部における前記蓋材の剥離を開始する側と反対側の端部は、渦巻き状をなしている請求項１または２に記載の包材。
【請求項５】
前記蓋材および前記把持部は、シート材で構成されている請求項１ないし４のいずれか１項に記載の包材。
【請求項６】
前記容器本体と前記蓋材との少なくとも一方は、医療用具を収納可能な突出形状に成形されている請求項１ないし５のいずれか１項に記載の包材。
【請求項７】
前記容器本体は、前記蓋材の剥離を開始する側の端部から延長して形成された容器本体側把持シートを有し、  前記容器本体側把持シートと前記把持部との少なくとも一方に凸部が設けられている請求項１ないし６のいずれか１項に記載の包材。
【請求項８】
前記容器本体は、前記蓋材の剥離を開始する側の端部から延長して形成された容器本体側把持シートを有し、  前記容器本体側把持シートと前記把持部との少なくとも一方は、肉厚部を有する請求項１ないし７のいずれか１項に記載の包材。
【請求項９】
前記容器本体は、前記蓋材の剥離を開始する側の端部から延長して形成された容器本体側把持シートを有し、  前記容器本体側把持シートにおける前記蓋材との反対側の面に、滑りを防止する滑り止め部を有する請求項１ないし８のいずれか１項に記載の包材。
【請求項１０】
請求項１ないし９のいずれか１項に記載の包材と、  前記包材に収納された医療用具とを備えることを特徴とする医療用具包装体。
【請求項１１】
前記医療用具を前記蓋材に向けて付勢し、前記医療用具と前記容器本体との間に設けられた弾性部材を有する請求項１０に記載の医療用具包装体。
【請求項１２】
前記包材に、２つの前記医療用具が収納されており、  前記２つの医療用具の間に、該２つの医療用具を互いに離間させるフィルムが介在している請求項１０または１１に記載の医療用具包装体。
【請求項１３】
前記フィルムは、前記容器本体に剥離可能に接合されている請求項１２に記載の医療用具包装体。
【請求項１４】
前記フィルムは、前記容器本体の前記開口を覆い、前記容器本体に剥離可能に接合されたフィルム本体部と、  前記容器本体から前記フィルム本体部を一方向に剥離する際に把持され、前記フィルム本体部の端部に、前記一方向に伸びるように設けられたフィルム把持部とを有し、  前記フィルム把持部は、前記フィルム本体部に当接し、前記フィルム本体部と前記フィルム把持部との間に空間を形成する湾曲部または屈曲部を有する請求項１３に記載の医療用具包装体。
【請求項１５】
前記２つの医療用具のうちの一方は、アルコールを含浸するアルコール含浸シートであり、他方は、アルコールを含浸しないアルコール非含浸シートまたは吸収体であり、前記アルコール含浸シートは、前記蓋材側に配置され、前記アルコール非含浸シートまたは前記吸収体は、前記容器本体側に配置されている請求項１２ないし１４のいずれか１項に記載の医療用具包装体。
【発明の詳細な説明】
【技術分野】
【０００１】  本発明は、包材および医療用具包装体に関するものである。
【背景技術】
【０００２】  例えば、リウマチ患者用の注射器等、患者自身が薬液を投与する際に使用される自己注射デバイスや、その薬液を投与する際の消毒等に使用されるアルコール綿を包材に収納してなるアルコール綿包装体が市販されている。【０００３】  薬液を投与する際は、まず、アルコール綿包装体の包材を開封し、その包材の開口を広げ、その開口から包材内のアルコール綿を取り出し、そのアルコール綿で生体表面を消毒する。そして、注射器により薬液を投与する。【０００４】  また、薬液の投与が完了した後は、綿球がない場合は、別のアルコール綿包装体を用い、前記と同様にして、出血した血液をアルコール綿で拭き取る。【０００５】  しかしながら、リウマチ等により手の不自由な患者は、アルコール綿包装体の包材を開封し、開口を広げ、包材からアルコール綿を取り出すことが困難である。【０００６】  そこで、特許文献１、２には、容易に開封し、収納物を取り出すことができる包材が提案されている。【０００７】  特許文献１に記載の包材は、包材を開封する際に把持する１対の摘み部を有しており、各摘み部を把持して広げることにより、包材を開封する。【０００８】  また、特許文献２に記載の包材は、開封用のノッチの他に、包材を開封する際に把持する１対の摘み部を有しており、各摘み部を把持して広げることにより、包材を開封する。【０００９】  しかしながら、特許文献１に記載の包材では、各摘み部同士が接近または接触しており、その摘み部を把持する際、把持し難いという欠点がある。【００１０】  また、特許文献２に記載の包材では、各摘み部は、包材の収納部を形成するシートに接近または接触しており、その摘み部を把持する際、把持し難いという欠点がある。
【先行技術文献】
【特許文献】
【００１１】
【特許文献１】特開２０１１−１４０３２６号公報
【特許文献２】実開昭６０−１３９７６０号公報
【発明の概要】
【発明が解決しようとする課題】
【００１２】  本発明の目的は、容易かつ迅速に、開封し、収納物を取り出すことができる包材および医療用具包装体を提供することにある。
【課題を解決するための手段】
【００１３】  このような目的は、下記（１）〜（１５）の本発明により達成される。  （１）  開口を有する容器本体と、  前記容器本体の前記開口を覆い、前記容器本体に剥離可能に接合された蓋材と、  前記容器本体から前記蓋材を一方向に剥離する際に把持され、前記蓋材の端部に、前記一方向に伸びるように設けられた把持部とを有し、  前記把持部は、前記蓋材に当接し、前記蓋材と前記把持部との間に空間を形成する湾曲部または屈曲部を有することを特徴とする包材。【００１４】  （２）  開口を有する容器本体と、  前記容器本体の前記開口を覆い、前記容器本体に剥離可能に接合された蓋材と、  前記容器本体から前記蓋材を一方向に剥離する際に把持され、前記蓋材の端部に、前記一方向に伸びるように設けられた把持部とを有し、  前記把持部の一部は、前記蓋材の剥離を開始する側と反対側の端部を越えた位置に位置していることを特徴とする包材。【００１５】  （３）  前記把持部は、前記蓋材側に折り返された折り返し部を有する上記（１）または（２）に記載の包材。【００１６】  （４）  前記把持部における前記蓋材の剥離を開始する側と反対側の端部は、渦巻き状をなしている上記（１）または（２）に記載の包材。【００１７】  （５）  前記蓋材および前記把持部は、シート材で構成されている上記（１）ないし（４）のいずれか１項に記載の包材。【００１８】  （６）  前記容器本体と前記蓋材との少なくとも一方は、医療用具を収納可能な突出形状に成形されている上記（１）ないし（５）のいずれか１項に記載の包材。【００１９】  （７）  前記容器本体は、前記蓋材の剥離を開始する側の端部から延長して形成された容器本体側把持シートを有し、  前記容器本体側把持シートと前記把持部との少なくとも一方に凸部が設けられている上記（１）ないし（６）のいずれか１項に記載の包材。【００２０】  （８）  前記容器本体は、前記蓋材の剥離を開始する側の端部から延長して形成された容器本体側把持シートを有し、  前記容器本体側把持シートと前記把持部との少なくとも一方は、肉厚部を有する上記（１）ないし（７）のいずれか１項に記載の包材。【００２１】  （９）  前記容器本体は、前記蓋材の剥離を開始する側の端部から延長して形成された容器本体側把持シートを有し、  前記容器本体側把持シートにおける前記蓋材との反対側の面に、滑りを防止する滑り止め部を有する上記（１）ないし（８）のいずれか１項に記載の包材。【００２２】  （１０）  上記（１）ないし（９）のいずれか１項に記載の包材と、  前記包材に収納された医療用具とを備えることを特徴とする医療用具包装体。【００２３】  （１１）  前記医療用具を前記蓋材に向けて付勢し、前記医療用具と前記容器本体との間に設けられた弾性部材を有する上記（１０）に記載の医療用具包装体。【００２４】  （１２）  前記包材に、２つの前記医療用具が収納されており、  前記２つの医療用具の間に、該２つの医療用具を互いに離間させるフィルムが介在している上記（１０）または（１１）に記載の医療用具包装体。【００２５】  （１３）  前記フィルムは、前記容器本体に剥離可能に接合されている上記（１２）に記載の医療用具包装体。【００２６】  （１４）  前記フィルムは、前記容���本体の前記開口を覆い、前記容器本体に剥離可能に接合されたフィルム本体部と、  前記容器本体から前記フィルム本体部を一方向に剥離する際に把持され、前記フィルム本体部の端部に、前記一方向に伸びるように設けられたフィルム把持部とを有し、  前記フィルム把持部は、前記フィルム本体部に当接し、前記フィルム本体部と前記フィルム把持部との間に空間を形成する湾曲部または屈曲部を有する上記（１３）に記載の医療用具包装体。【００２７】  （１５）  前記２つの医療用具のうちの一方は、アルコールを含浸するアルコール含浸シートであり、他方は、アルコールを含浸しないアルコール非含浸シートまたは吸収体であり、前記アルコール含浸シートは、前記蓋材側に配置され、前記アルコール非含浸シートまたは前記吸収体は、前記容器本体側に配置されている上記（１２）ないし（１４）のいずれか１項に記載の医療用具包装体。
【発明の効果】
【００２８】  本発明によれば、容易かつ迅速に、包材を開封し、包材から収納物を取り出すことができる。【００２９】  すなわち、手の不自由な患者であっても、包材の蓋材と把持部との間に空間されているので、包材を開封する際、容易に把持部を把持することができる。そして、その把持部を引っ張ることにより、容器本体から蓋材が剥離し、容易に包材を開封することができ、容易かつ迅速に包材から収納物を取り出すことができる。
【図面の簡単な説明】
【００３０】
【図１】図１は、本発明の医療用具包装体の第１実施形態を示す図である。
【図２】図２は、図１に示す医療用具包装体の斜視図である。
【図３】図３は、本発明の医療用具包装体の第２実施形態を示す図である。
【図４】図４は、本発明の医療用具包装体の第３実施形態を示す図である。
【図５】図５は、本発明の医療用具包装体の第４実施形態を示す断面斜視図である。
【図６】図６は、本発明の医療用具包装体の第５実施形態を示す断面斜視図である。
【図７】図７は、本発明の医療用具包装体の第６実施形態を示す断面斜視図である。
【図８】図８は、本発明の医療用具包装体の第７実施形態を示す断面斜視図である。
【図９】図９は、本発明の医療用具包装体の第８実施形態を示す断面斜視図である。
【図１０】図１０は、本発明の医療用具包装体の第９実施形態を示す断面斜視図である。
【図１１】図１１は、本発明の医療用具包装体の第１０実施形態を示す断面斜視図である。
【図１２】図１２は、本発明の医療用具包装体の第１１実施形態を示す断面斜視図である。
【図１３】図１３は、折り返し部の他の構成例を示す底面図である。
【発明を実施するための形態】
【００３１】  以下、本発明の包材および医療用具包装体を添付図面に示す好適な実施形態に基づいて詳細に説明する。
【００３２】  ＜第１実施形態＞  図１は、本発明の医療用具包装体の第１実施形態を示す図であり、図１（ａ）は、斜視図、図１（ｂ）は、断面図である。図２は、図１に示す医療用具包装体の斜視図であり、図２には、包材が開封された状態が示されている。図１３は、折り返し部の他の構成例を示す底面図である。
【００３３】  なお、以下では、図１および図２中の左側を「先端」、右側を「基端（後端）」として説明を行う。また、図１３中の下側を「先端」、上側を「基端（後端）」、左側を「左」、右側を「右」として説明を行う。
【００３４】  図１および図２に示すように、医療用具包装体（アルコール綿包装体）１は、包材２と、包材２に収納された医療用具であるアルコール綿（アルコール含浸シート）３とを備えている。
【００３５】  アルコール綿３は、綿で構成されたシートにアルコールを含浸させてなるものである。アルコール綿３の用途としては、特に限定されず、そのアルコール綿３は、例えば、注射器等により薬液を投与する前に、注射器の針管を穿刺する部位の生体表面を消毒する場合や、薬液の投与が完了した後に、出血した血液を拭き取る場合等に使用することができる。なお、本実施形態では、シートの構成材料は、綿であるが、これに限定されるものではない。
【００３６】  また、アルコール綿３の形状は、平面視で長方形（四角形）をなしている。なお、アルコール綿３の形状は、これに限定されず、この他、例えば、平面視で、円形、楕円形、三角形、五角形等の他の多角形等が挙げられる。
【００３７】  次に、包材２について説明する。  包材２は、開口４１を有する容器本体４と、容器本体４の開口４１を覆い（塞ぎ）、容器本体４に剥離可能に接合された蓋材５と、容器本体４から蓋材５を一方向に剥離する際に把持される把持部６とを有している。なお、蓋材５の先端側の端部が、その蓋材５の剥離を開始する側の端部である。
【００３８】  この包材２の形状は、特に限定されないが、本実施形態では、包材２の全体形状は、平面視で長方形（四角形）をなしている。なお、包材２の全体形状は、この他、例えば、平面視で、円形、楕円形、三角形、五角形等の他の多角形等が挙げられる。
【００３９】  把持部６は、蓋材５の先端側の端部に、前記一方向、すなわち、基端方向に伸びるように設けられている。この把持部６は、蓋材５に当接し、蓋材５と把持部６との間に空間を形成する湾曲部または屈曲部として、蓋材５側に折り返された折り返し部７を有している。
【００４０】  また、包材２のアルコール綿３を収納する収納空間（収納部）は、本実施形態では、容器本体４側の凹部と蓋材５側の凹部とで形成されており、医療用具包装体１の使用前は、蓋材５が容器本体４に剥離可能に接合されることにより、液密的（気密的）に密閉されている。この収納空間は、アルコール綿３に対応した形状、本実施形態では、平面視で長方形（四角形）をなしている。また、収納空間の寸法は、アルコール綿３よりも若干大きく設定されている。なお、前記収納空間は、容器本体４側にのみ形成されていてもよい。
【００４１】  本実施形態では、これら容器本体４、蓋材５および把持部６は、１枚の可撓性を有するシート材で構成されている。具体的には、容器本体４、蓋材５および把持部６は、１枚のシート材を折り曲げたり、そのシート材同士を剥離可能に接合する等して形成されている。具体的には、全体形状が略長方形のシート材が用られ、そのシート材が２つ折りにされ、折り目以外の３辺（３方）が剥離可能に接合されている。なお、これら容器本体４、蓋材５および把持部６は、複数枚のシート材で構成されていてもよいことは、言うまでもない。この場合は、例えば、全体形状が略長方形の２枚のシート材を用い、その２枚のシート材が重ね合せ、前記折り目に相当する部位を剥離不能に接合し、他の３辺（３方）を剥離可能に接合する。
【００４２】  以下では、容器本体４と蓋材５とが互いに剥離可能に接合している部位を「弱シール部１２」と言う。なお、弱シール部１２は、例えば、融着（熱融着、高周波融着、超音波融着等）、接着（接着剤や溶媒による接着）等で形成することができる。その１例を挙げると、弱シール部１２は、例えば、比較的低温で融着する等により、対向するシート材同士の融着がある程度不完全であるような状態とされる。但し、弱シール部１２においても、液密性（気密性）は、確保されており、その効果は、経時的に持続する。
【００４３】  弱シール部１２のシール強度（剥離強度）は、特に限定されず、諸条件に応じて適宜設定されるものであるが、剥離強度が５０〜１０００ｇｆ／１０ｍｍであることが好ましく、１５０〜８００ｇｆ／１０ｍｍがさらに好ましい。剥離強度が前記範囲未満であると、他の条件によっては、輸送や保管中等に不本意に弱シール部１２を剥離し、包材２を開封してしまうことがあり、また、剥離強度が前記範囲を超えると、他の条件によっては、弱シール部１２を剥離して包材２を開封する際の操作性が低下する。さらに、開封に要する総剥離強度は、２０００ｇｆ以下であることが好ましく、８００ｇｆ以下であることがより好ましい。総剥離強度が前記範囲を超えると、高齢者や手の力が弱い人には開封が困難になる。
【００４４】  ここで、図２に示すように、シート材を２つ折りにしたときの折り目と、弱シール部１２との全体の形状は、略長方形（厳密には、五角形）をなしている。そして、弱シール部１２は、前記長方形の３つの辺１２１、１２２および１２３で構成されている。なお、辺１２１、１２２は、前記長方形の２つの長辺であり、辺１２３は、前記長方形の先端側の短辺（厳密には、折れ曲がった辺）であり、前記折り目は、前記長方形の基端側の短辺である。
【００４５】  弱シール部１２の辺１２３は、容器本体４から蓋材５を剥離する際、その剥離が開始される部位である。この辺１２３は、その中央部で、先端側が凸となるように折れ曲がっている。すなわち、辺１２３は、その先端側の中央部が尖ったＶ字状をなしている。これにより、蓋材５の剥離は、辺１２３の中央部から開始される。このように、辺１２３は、その長手方向（図２中の上下方向）の一部、すなわち、中央部から、蓋材５の剥離が開始されるように形成されている。容器本体４から蓋材５を剥離する際は、その剥離の開始時に最も力を必要とするので、これにより、容易に蓋材５を剥離することができる。なお、辺１２３は、例えば、複数個所において、その先端側に尖った部位を有するものであってもよい。
【００４６】  なお、容器本体４、蓋材５および把持部６を構成するシート材の構成材料としては、特に限定されず、例えば、ポリエチレン、ポリプロピレン、ポリブテン、ポリブタジエン、エチレン−酢酸ビニル共重合体（ＥＶＡ）、エチレン−αオレフィン共重合体等のポリオレフィン、これらポリオレフィンを含むブレンド樹脂、ポリエチレンテレフタレート、ポリブチレンテレフタレート等のポリエステル、ポリ塩化ビニル、ポリ塩化ビニリデン、塩化ビニル−塩化ビニリデン共重合体、ポリウレタン、あるいはこれらを任意に組み合わせたもの（ブレンド樹脂、ポリマーアロイ、積層体等）等が挙げられる。また、シート材は、例えば、樹脂製不織布や紙（合成紙を含む）であってもよい。
【００４７】  また、シート材は、上述した材料よりなる単層構造のもの（単層体）に限らず、種々の目的で、複数の層（特に異種材料の層）を重ねた多層積層体とすることができる。例えば、樹脂の単層フィルムに、アルミニウム、酸化チタン、酸化アルミニウム、酸化ケイ素等の酸化物を蒸着したもの、アルミニウムフィルム、アルミニウムラミネートフィルム等の金属箔を積層したものが挙げられる。
【００４８】  また、容器本体４は、蓋材５の剥離を開始する側の端部から先端方向に延長して形成された容器本体側把持シート４２を有している。容器本体側把持シート４２の先端部は、蓋材５の先端部および把持部６の基端部よりも先端側に位置している。この容器本体側把持シート４２は、容器本体４から蓋材５を剥離する際、把持される部位、または、テーブル等に押し付けられ、保持される部位である。
【００４９】  また、容器本体側把持シート４２は、先端部に肉厚部４２１を有している。この肉厚部４２１は、容器本体側把持シート４２の蓋材５と反対側に突出している。この肉厚部４２１により、容器本体側把持シート４２を把持する場合に、剛性、厚み感が生じ、把持し易くなる。なお、肉厚部４２１は、容器本体側把持シート４２の蓋材５側に突出していてもよい。
【００５０】  肉厚部４２１の厚さは、特に限定されず、諸条件に応じて適宜設定されるものであるが、容器本体側把持シート４２の肉厚部４２１よりも基端側の部位よりも０．１〜５ｍｍ厚いことが好ましく、１〜５ｍｍ厚いことがより好ましい。これにより、容器本体側把持シート４２を把持する場合に、より把持し易くなる。
【００５１】  また、容器本体側把持シート４２は、蓋材５との反対側の面に、滑りを防止する滑り止め部（図示せず）を有していることが好ましい。この滑り止め部の位置は、特に限定されないが、滑り止め部は、例えば、肉厚部４２１の蓋材５と反対側の面に形成される。また、滑り止め部は、例えば、ゴム材料で構成された層や、リブ、突起等の凸部等で構成される。この滑り止め部により、容器本体側把持シート４２をテーブル等に押し付け、保持する際、容器本体側把持シート４２の滑りを防止することができ、より確実に、容器本体側把持シート４２を保持することができる。なお、滑り止め部は、省略されていてもよいことは、言うまでもない。
【００５２】  また、把持部６は、蓋材５の先端側の端部から延長して形成されており、蓋材５の先端側の端部から基端側に折り返されている。この把持部６の基端部は、本実施形態では、蓋材５の基端部よりも先端側に位置している。
【００５３】  この把持部６の長さＬ１は、特に限定されず、諸条件に応じて適宜設定されるものであるが、１５〜８０ｍｍであることが好ましく、２０〜４０ｍｍであることがより好ましい。これにより、把持部６を把持し易くなる。なお、把持部６の長さＬ１が前記範囲未満であると、他の条件によっては、把持し難くなり、また、前記範囲を超えると、包材２を開封する際、他の条件によっては、使用者の脇が開き易く、力が入り難くなる。
【００５４】  また、把持部６を先端側に反転させ、把持部６を先端方向に伸びた状態にしたとき、把持部６の折り返し部７側の端部（基端部）は、容器本体側把持シート４２の先端部よりも先端側に位置している。これにより、例えば、把持部６を先端側に反転させてしまい、把持部６が先端方向に伸びた状態になった場合、把持部６の折り返し部７側の端部と容器本体側把持シート４２の先端部とが揃うと把持部６を把持し難くなるので、それを防止することができる。
【００５５】  また、把持部６を先端側に反転させ、把持部６を先端方向に伸びた状態にしたとき、把持部６の折り返し部７側の端部（基端部）は、容器本体側把持シート４２の先端部よりも５ｍｍ以上先端側に位置していることが好ましく、５〜３０ｍｍ先端側に位置していることがより好ましい。これにより、前記把持部６が先端方向に伸びた状態になった場合、把持部６をより把持し易くすることができる。
【００５６】  また、折り返し部７は、把持部６の基端部を、先端側であってかつ蓋材５側に折り返して形成された部位である。この折り返し部７の基端部は、蓋材５に当接し、これにより、蓋材５と把持部６との間に空間が形成される。これにより、把持部６を把持する場合に把持し易くなり、容易かつ迅速に、把持部６を把持することができる。
【００５７】  この折り返し部７は、先端部に肉厚部７１を有している。この肉厚部７１は、折り返し部７の蓋材５と反対側に突出している。この肉厚部７１により、折り返し部７を把持する場合に、剛性、厚み感が生じ、把持し易くなる。なお、肉厚部７１は、折り返し部７の蓋材５側に突出していてもよい。
【００５８】  肉厚部７１の厚さは、特に限定されず、諸条件に応じて適宜設定されるものであるが、折り返し部７の肉厚部４２１よりも基端側の部位よりも０．１〜５ｍｍ厚いことが好ましく、１〜５ｍｍ厚いことがより好ましい。これにより、折り返し部７を把持する場合に、より把持し易くなる。
【００５９】  次に、医療用具包装体１の使用方法および作用について説明する。［１］まず、図１に示す未使用状態（初期状態）の医療用具包装体１を用意する。
【００６０】［２］次に、一方の手指で包材２の把持部６を把持し、他方の手指で容器本体側把持シート４２を把持する。なお、一方の手指で包材２の把持部６を把持し、他方の手指で容器本体側把持シート４２をテーブル等に押し付けて、保持してもよい。
【００６１】［３］次に、把持部６を容器本体側把持シート４２に対して基端方向に引っ張る。これにより、図２に示すように、弱シール部１２において、容器本体４から蓋材５が剥離してゆき、包材２が開封され、蓋材５が開く。
【００６２】［４］次に、包材２の容器本体４からアルコール綿３を取り出し、そのアルコール綿３を所定の用途に使用する。
【００６３】  以上説明したように、この医療用具包装体１によれば、容易かつ迅速に、包材２を開封し、包材２からアルコール綿３を取り出すことができる。
【００６４】  すなわち、手の不自由な患者であっても、初期状態で包材２の蓋材５と把持部６との間に空間されているので、包材２を開封する際、容易に把持部６を把持することができる。そして、その把持部６を引っ張ることにより、容器本体４から蓋材５が剥離し、容易に包材２を開封することができ、容易かつ迅速に包材２からアルコール綿３を取り出すことができる。
【００６５】  なお、折り返し部７としては、前述したものには限定されない。以下、図１３に基づき、折り返し部７の他の構成例について説明する。
【００６６】  図１３（ａ１）、図１３（ｂ１）、図１３（ｃ１）には、それぞれ、把持部６に折り返し部７を形成する前の状態が示され、図１３（ａ２）、図１３（ｂ２）、図１３（ｃ２）には、それぞれ、把持部６に折り返し部７が形成され、完成した医療用具包装体１が示されている。
【００６７】  図１３に示す各医療用具包装体１では、それぞれ、把持部６の折り返し部７は、把持部６の基端部の一部に形成されている。この場合、各医療用具包装体１では、それぞれ、把持部６の折り返し部になる部位７０を図１３中の矢印の方向に折り返すことにより、折り返し部７が形成される。
【００６８】  まず、図１３（ａ２）に示す医療用具包装体１では、把持部６の折り返し部７は、把持部６の基端部の中央部に形成されている。
【００６９】  また、図１３（ｂ２）に示す医療用具包装体１では、把持部６の折り返し部７は、把持部６の基端部の右側の部位および左側の部位に形成されている。
【００７０】  また、図１３（ｃ２）に示す医療用具包装体１では、把持部６の折り返し部７は、把持部６の基端部の両方の角部に形成されている。
【００７１】  ＜第２実施形態＞  図３は、本発明の医療用具包装体の第２実施形態を示す図であり、図３（ａ）は、斜視図、図３（ｂ）は、断面図である。なお、以下では、図３中の左側を「先端」、右側を「基端（後端）」として説明を行う。
【００７２】  以下、第２実施形態について、前述した第１実施形態との相違点を中心に説明し、同様の事項については、その説明を省略する。
【００７３】  図３に示すように、第２実施形態の医療用具包装体１では、把持部６の基端部は、蓋材５の基端部、すなわち、蓋材５の剥離を開始する側と反対側の端部を基端側に越えた位置に位置している。すなわち、把持部６の基端部は、蓋材５の基端部よりも基端側に位置している。これにより、把持部６を把持する場合に把持し易くなり、容易かつ迅速に、把持部６を把持することができる。
【００７４】  また、蓋材５の基端部から基端方向への突出長さＬ２は、特に限定されず、諸条件に応じて適宜設定されるものであるが、５〜５０ｍｍであることが好ましく、２０〜４０ｍｍであることがより好ましい。これにより、把持部６を把持する場合に、より把持し易くなる。
【００７５】  この医療用具包装体１によれば、前述した第１実施形態と同様の効果が得られる。  なお、折り返し部７が省略されていてもよい。  また、第２実施形態は、各実施形態に適用することができる。
【００７６】  ＜第３実施形態＞  図４は、本発明の医療用具包装体の第３実施形態を示す図であり、図４（ａ）は、斜視図、図４（ｂ）は、断面図である。なお、以下では、図４中の左側を「先端」、右側を「基端（後端）」として説明を行う。
【００７７】  以下、第３実施形態について、前述した第１実施形態との相違点を中心に説明し、同様の事項については、その説明を省略する。
【００７８】  図４に示すように、第３実施形態の医療用具包装体１では、把持部６は、その基端側の両方の側方にそれぞれ折り返し部７ａを有している。各折り返し部７ａは、それぞれ、把持部６の基端側の側部を、自身と反対側の側部側であってかつ蓋材５側に折り返して形成された部位である。
【００７９】  また、各折り返し部７ａは、把持部６の先端と基端とを結ぶ中心線を介して対称に配置されている。
【００８０】  この医療用具包装体１によれば、前述した第１実施形態と同様の効果が得られる。  また、第３実施形態は、各実施形態に適用することができる。
【００８１】  ＜第４実施形態＞  図５は、本発明の医療用具包装体の第４実施形態を示す断面斜視図である。なお、以下では、図５中の左側を「先端」、右側を「基端（後端）」として説明を行う。
【００８２】  以下、第４実施形態について、前述した第１実施形態との相違点を中心に説明し、同様の事項については、その説明を省略する。
【００８３】  図５に示すように、第４実施形態の医療用具包装体１では、包材２に、２つのアルコール綿３が収納されている。各アルコール綿３は、一方が蓋材５側に位置し、他方が容器本体４側に位置するように、図５中の上下方向に重ねられている。
【００８４】  また、２つのアルコール綿３の間には、各アルコール綿３を互いに離間させるフィルム８が介在している。このフィルム８は、アルコール綿３に対応した形状、本実施形態では、平面視で長方形（四角形）をなしている。また、フィルム８の平面視での寸法は、アルコール綿３よりも若干大きく設定されている。
【００８５】  これにより、包材２を開封することにより、まず、蓋材５側に配置されたアルコール綿３を取り出すことができる。そして、フィルム８を除去すると、容器本体４側に配置されたアルコール綿３を取り出すことができる。これによって、２つのアルコール綿が必要な場合に、より容易かつ迅速に２つのアルコール綿３を取り出すことができる。
【００８６】  フィルム８の構成材料としては、特に限定されず、例えば、容器本体４、蓋材５および把持部６を構成するシート材の構成材料として挙げたもの等が用いられる。
【００８７】  この医療用具包装体１によれば、前述した第１実施形態と同様の効果が得られる。  なお、本実施形態では、包材２に収納される２つの医療用具は、同一のものであるが、異なるものであってもよい。  また、第４実施形態は、各実施形態に適用することができる。
【００８８】  ＜第５実施形態＞  図６は、本発明の医療用具包装体の第５実施形態を示す断面斜視図であり、図６には、包材が開封された状態が示されている。なお、以下では、図６中の左側を「先端」、右側を「基端（後端）」として説明を行う。
【００８９】  以下、第５実施形態について、前述した第１実施形態との相違点を中心に説明し、同様の事項については、その説明を省略する。
【００９０】  図６に示すように、第５実施形態の医療用具包装体１では、包材２に、アルコール綿３と、医療用具である乾燥綿（アルコール非含浸シート）１１とが収納されている。
【００９１】  乾燥綿１１は、綿で構成されたシートであって、アルコール等は含浸しておらず、乾燥している。乾燥綿１１の用途としては、特に限定されず、その乾燥綿１１は、例えば、注射器等により薬液を投与する場合、薬液の投与が完了した後に、出血した血液を拭き取る場合等に使用することができる。なお、本実施形態では、シートの構成材料は、綿であるが、これに限定されるものではない。
【００９２】  また、乾燥綿１１の形状は、アルコール綿３と同様、平面視で長方形（四角形）をなしている。なお、乾燥綿１１の形状は、これに限定されず、この他、例えば、平面視で、円形、楕円形、三角形、五角形等の他の多角形等が挙げられる。また、乾燥綿１１の形状は、前記シート状に限定されず、例えば、球状等であってもよい。
【００９３】  また、アルコール綿３および乾燥綿１１は、アルコール綿３が蓋材５側に位置し、乾燥綿１１が容器本体４側に位置するように、図６中の上下方向に重ねられている。
【００９４】  また、アルコール綿３と乾燥綿１１との間には、アルコール綿３と乾燥綿１１を互いに離間させるフィルム９が介在している。そして、アルコール綿３は、収納空間を形成する蓋材５側の凹部に収納され、乾燥綿１１は、収納空間を形成する容器本体４側の凹部に収納されている。
【００９５】  また、フィルム９は、蓋材５と同様に構成されており、容器本体４の開口４１を覆い（塞ぎ）、容器本体４に剥離可能に接合されている。このフィルム９は、容器本体４の開口４１を覆い、容器本体４に剥離可能に接合されたフィルム本体部９１と、容器本体４からフィルム本体部９１を一方向に剥離する際に把持されるフィルム把持部９２とを有している。なお、フィルム本体部９１の先端側の端部が、そのフィルム本体部９１の剥離を開始する側の端部である。
【００９６】  フィルム９の形状は、特に限定されないが、本実施形態では、フィルム９の全体形状は、平面視で長方形（四角形）をなしている。なお、フィルム９の全体形状は、この他、例えば、平面視で、円形、楕円形、三角形、五角形等の他の多角形等が挙げられる。
【００９７】  ここで、フィルム本体部９１は、その４辺のうち基端側の辺は、容器本体４に剥離不能に接合され、残りの３辺は、容器本体４に剥離不能に接合されている。これにより、包材２のアルコール綿３が収納された収納空間と、乾燥綿１１が収納された収納空間とを液密的（気密的）に隔てることができ、これによって、乾燥綿１１の乾燥状態を保持することができる。また、フィルム本体部９１の基端側の辺が容器本体４に剥離不能に接合されているので、フィルム９を容器本体４から剥離したとき、フィルム９と容器本体４とがバラバラになってしまうことを防止することができる。
【００９８】  また、フィルム把持部９２は、フィルム本体部９１の先端側の端部に、前記一方向、すなわち、基端方向に伸びるように設けられている。このフィルム把持部９２は、フィルム本体部９１に当接し、フィルム本体部９１とフィルム把持部９２との間に空間を形成する湾曲部または屈曲部として、先端側であってかつフィルム本体部９１側に折り返された折り返し部９３を有している。
【００９９】  折り返し部９３の基端部は、フィルム本体部９１に当接し、これにより、フィルム本体部９１とフィルム把持部９２との間に空間が形成される。これにより、フィルム把持部９２を把持する場合に把持し易くなり、容易かつ迅速に、フィルム把持部９２を把持することができる。
【０１００】  フィルム８の構成材料としては、特に限定されず、例えば、容器本体４、蓋材５および把持部６を構成するシート材の構成材料として挙げたもの等が用いられる。
【０１０１】  この医療用具包装体１では、包材２を開封することにより、まず、蓋材５側に配置されたアルコール綿３を取り出すことができる。そして、フィルム９のフィルム本体部９１を容器本体４から剥離すると、容器本体４側に配置された乾燥綿１１を取り出すことができる。
【０１０２】  フィルム本体部９１を容器本体４から剥離する際は、一方の手指でフィルム把持部９２を把持し、他方の手指で容器本体側把持シート４２を把持し、フィルム把持部９２を容器本体側把持シート４２に対して基端方向に引っ張る。なお、一方の手指でフィルム把持部９２を把持し、他方の手指で容器本体側把持シート４２をテーブル等に押し付けて、保持してもよい。
【０１０３】  なお、フィルム９の蓋材５側に配置されたアルコール綿３と接触する部位の表面に、離型処理を施してもよい。その離型処理としては、特に限定されず、例えば、シリコーン系樹脂、フッ素系樹脂等の離型剤よりなる離型剤層の形成等が挙げられる。これにより、包材２を開封し、開くと、蓋材５側に配置されたアルコール綿３は、確実に、フィルム９から離間し、蓋材５の内面に載置された状態となる。
【０１０４】  この医療用具包装体１によれば、前述した第１実施形態と同様の効果が得られる。  なお、本実施形態では、包材２に収納される２つの医療用具は、異なるものであるが、同一のものであってもよい。  また、第５実施形態は、各実施形態に適用することができる。
【０１０５】  ＜第６実施形態＞  図７は、本発明の医療用具包装体の第６実施形態を示す断面斜視図である。なお、以下では、図７中の左側を「先端」、右側を「基端（後端）」として説明を行う。
【０１０６】  以下、第６実施形態について、前述した第４実施形態との相違点を中心に説明し、同様の事項については、その説明を省略する。
【０１０７】  図７に示すように、第６実施形態の医療用具包装体１では、容器本体側把持シート４２に、２つのリブ（凸部）４２２が設けられている。これにより、容器本体側把持シート４２を把持する際、容易に把持することができる。
【０１０８】  各リブ４２２は、図７中の上下方向（容器本体側把持シート４２の幅方向）に延在し、互いに平行となるように配置されている。また、各リブ４２２は、容器本体側把持シート４２の蓋材５側の面に形成されている。
【０１０９】  なお、リブ４２２の数は、２つには限定されず、例えば、１つでもよく、また、３つ以上でもよい。また、また、リブ４２２は、容器本体側把持シート４２の蓋材５と反対側の面に形成されていてもよい。
【０１１０】  また、把持部６に、２つのリブ（凸部）６１が設けられている。これにより、把持部６を把持する際、容易に把持することができる。
【０１１１】  各リブ６１は、図７中の上下方向（把持部６の幅方向）に延在し、互いに平行となるように配置されている。また、各リブ６１は、把持部６の蓋材５と反対側の面に形成されている。
【０１１２】  なお、リブ６１の数は、２つには限定されず、例えば、１つでもよく、また、３つ以上でもよい。また、また、リブ６１は、把持部６の蓋材５側の面に形成されていてもよい。
【０１１３】  また、包材２の基端部には、切り欠き５１が形成されている。これにより、この切り欠き５１から、包材２の基端部を切り取ることによっても、包材２を開封することができる。なお、前記切り欠き５１に替えて、例えば、切り込み等を設けてもよい。
【０１１４】  この医療用具包装体１によれば、前述した第４実施形態と同様の効果が得られる。  また、第６実施形態は、各実施形態に適用することができる。
【０１１５】  ＜第７実施形態＞  図８は、本発明の医療用具包装体の第７実施形態を示す断面斜視図である。なお、以下では、図８中の左側を「先端」、右側を「基端（後端）」として説明を行う。
【０１１６】  以下、第７実施形態について、前述した第６実施形態との相違点を中心に説明し、同様の事項については、その説明を省略する。
【０１１７】  図８に示すように、第７実施形態の医療用具包装体１では、容器本体側把持シート４２に、複数の突起（凸部）４２３が設けられている。これにより、容器本体側把持シート４２を把持する際、容易に把持することができる。
【０１１８】  各突起４２３は、図８中の上下方向（容器本体側把持シート４２の幅方向）に、等間隔で並設されている。そして、突起４２３が図８中の上下方向に並んだ列が、２列設けられている。また、前記各列は、互いに平行となるように配置されている。また、各突起４２３は、容器本体側把持シート４２の蓋材５側の面に形成されている。
【０１１９】  なお、突起４２３は、容器本体側把持シート４２の蓋材５と反対側の面に形成されていてもよい。
【０１２０】  また、把持部６に、複数の突起（凸部）６２が設けられている。これにより、把持部６を把持する際、容易に把持することができる。
【０１２１】  各突起６２は、図８中の上下方向（把持部６の幅方向）に、等間隔で並設されている。そして、突起６２が図８中の上下方向に並んだ列が、２列設けられている。また、前記各列は、互いに平行となるように配置されている。また、各突起６２は、把持部６の蓋材５と反対側の面に形成されている。
【０１２２】  なお、突起６２は、把持部６の蓋材５側の面に形成されていてもよい。  この医療用具包装体１によれば、前述した第６実施形態と同様の効果が得られる。  また、第７実施形態は、各実施形態に適用することができる。
【０１２３】  ＜第８実施形態＞  図９は、本発明の医療用具包装体の第８実施形態を示す断面斜視図である。なお、以下では、図９中の左側を「先端」、右側を「基端（後端）」として説明を行う。
【０１２４】  以下、第８実施形態について、前述した第１、７実施形態との相違点を中心に説明し、同様の事項については、その説明を省略する。
【０１２５】  図９に示すように、第８実施形態の医療用具包装体１は、アルコール綿３を蓋材５に向けて付勢する弾性部材１３を有している。この弾性部材１３は、アルコール綿３と容器本体４との間に設けられている。これにより、包材２を開封し、蓋材５を開いた際、弾性部材１３の付勢力により、アルコール綿３が押し上げられ、これによって、アルコール綿３を容易に取り出すことができる。
【０１２６】  また、弾性部材１３の形状は、特に限定されないが、本実施形態は、弾性部材１３は、外力が付与されていない自然状態で、筒状をなし、それが扁平形状になるよう押し潰された状態で設置されている。
【０１２７】  また、弾性部材１３を構成する弾性材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等が挙げられる。
【０１２８】  この医療用具包装体１によれば、前述した第１、７実施形態と同様の効果が得られる。  また、第８実施形態は、各実施形態に適用することができる。
【０１２９】  ＜第９実施形態＞  図１０は、本発明の医療用具包装体の第９実施形態を示す断面斜視図である。なお、以下では、図１０中の左側を「先端」、右側を「基端（後端）」として説明を行う。
【０１３０】  以下、第９実施形態について、前述した第８実施形態との相違点を中心に説明し、同様の事項については、その説明を省略する。
【０１３１】  図１０に示すように、第９実施形態の医療用具包装体１では、把持部６の蓋材５側の面に、リブ（凸部）６３が形成されている。リブ６３は、図１０中の上下方向（把持部６の幅方向）に延在している。このリブ６３により、蓋材５と把持部６との間に空間が形成される。これにより、把持部６を把持する場合に把持し易くなり、容易かつ迅速に、把持部６を把持することができる。
【０１３２】  なお、リブ６３の数は、１つには限定されず、複数であってもよい。  この医療用具包装体１によれば、前述した第８実施形態と同様の効果が得られる。  また、第９実施形態は、各実施形態に適用することができる。
【０１３３】  ＜第１０実施形態＞  図１１は、本発明の医療用具包装体の第１０実施形態を示す断面斜視図である。なお、以下では、図１１中の左側を「先端」、右側を「基端（後端）」して説明を行う。
【０１３４】  以下、第１０実施形態について、前述した第１実施形態との相違点を中心に説明し、同様の事項については、その説明を省略する。
【０１３５】  図１１に示すように、第１０実施形態の医療用具包装体１では、把持部６は、蓋材５に当接し、蓋材５と把持部６との間に空間を形成する湾曲部または屈曲部として、把持部６の基端部、すなわち、蓋材５の剥離を開始する側と反対側の端部に渦巻き状部１４を有している。
【０１３６】  この渦巻き状部１４は、把持部６の基端部を、渦巻き状に巻回して形成された部位である。この渦巻き状部１４は、蓋材５に当接し、これにより、蓋材５と把持部６との間に空間が形成される。この渦巻き状部１４により、蓋材５と把持部６との間に空間が形成される。これにより、把持部６を把持する場合に把持し易くなり、容易かつ迅速に、把持部６を把持することができる。
【０１３７】  この医療用具包装体１によれば、前述した第１実施形態と同様の効果が得られる。  また、第１０実施形態は、各実施形態に適用することができる。
【０１３８】  ＜第１１実施形態＞  図１２は、本発明の医療用具包装体の第１１実施形態を示す断面斜視図である。なお、以下では、図１２中の左側を「先端」、右側を「基端（後端）」として説明を行う。また、図１２では、医療用具の図示は省略されている。
【０１３９】  以下、第１１実施形態について、前述した第１実施形態との相違点を中心に説明し、同様の事項については、その説明を省略する。
【０１４０】  図１２に示すように、第１１実施形態の医療用具包装体（医療用キット）１では、包材２の容器本体４は、所定の１つまたは複数の医療用具を収納可能な突出形状に成形されている。そして、包材２には、前記医療用具が収納されている。
【０１４１】  医療用具としては、例えば、前述した各実施形態の医療用具包装体１、注射器、綿球、ガーゼ、シート等が挙げられる。
【０１４２】  容器本体４は、例えば、比較的硬質の樹脂等により構成されている。この容器本体４は、医療用具を収納可能、すなわち、医療用具の収納空間を確保することができる突出形状（ブリスター形状）に成形されている。これにより、容器本体４により包材２に収納された医療用具を確実に保護することができる。
【０１４３】  また、収納空間は、本実施形態では、容器本体４側にのみ形成されているが、これに限らず、例えば、蓋材５側にも形成されていてもよい。
【０１４４】  この医療用具包装体１によれば、前述した第１実施形態と同様の効果が得られる。  なお、容器本体４に替えて、蓋材５が、医療用具を収納可能な突出形状に成形されていてもよく、また、容器本体４および蓋材５が、それぞれ、医療用具を収納可能な突出形状に成形されていてもよい。
【０１４５】  また、第１１実施形態は、前記第１〜第１０実施形態にも適用することができる。すなわち、前記第１〜第１１実施形態においても、包材２の容器本体４がアルコール綿や乾燥綿を収納可能な突出形状に成形されていてもよく、また、蓋材５がアルコール綿や乾燥綿を収納可能な突出形状に成形されていてもよく、容器本体４および蓋材５が、それぞれ、アルコール綿や乾燥綿を収納可能な突出形状に成形されていてもよい。
【０１４６】  以上、本発明の包材および医療用具包装体を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１４７】  また、本発明は、前記各実施形態のうちの、任意の２以上の構成（特徴）を組み合わせたものであってもよい。
【０１４８】  また、前記実施形態では、包材に収納される収納物は、医療用具であるが、本発明では、これに限定されず、この他、例えば、添付文書や取扱説明書等が挙げられる。
【産業上の利用可能性】
【０１４９】  本発明の包材は、開口を有する容器本体と、  前記容器本体の前記開口を覆い、前記容器本体に剥離可能に接合された蓋材と、  前記容器本体から前記蓋材を一方向に剥離する際に把持され、前記蓋材の端部に、前記一方向に伸びるように設けられた把持部とを有し、  前記把持部は、前記蓋材に当接し、前記蓋材と前記把持部との間に空間を形成する湾曲部または屈曲部を有することを特徴とする。  また、本発明の医療用具包装体は、本発明の包材と、  前記包材に収納された医療用具とを備えることを特徴とする。  本発明によれば、容易かつ迅速に、包材を開封し、包材から収納物を取り出すことができる。すなわち、手の不自由な患者であっても、包材の蓋材と把持部との間に空間されているので、包材を開封する際、容易に把持部を把持することができる。そして、その把持部を引っ張ることにより、容器本体から蓋材が剥離し、容易に包材を開封することができ、容易かつ迅速に包材から収納物を取り出すことができる。したがって産業上の利用可能性を有する。
【符号の説明】
【０１５０】  １            医療用具包装体  ２            包材  ３            アルコール綿  ４            容器本体  ４１          開口  ４２          容器本体側把持シート  ４２１        肉厚部  ４２２        リブ  ４２３        突起  ５            蓋材  ５１          切り欠き  ６            把持部  ６１、６３    リブ  ６２          突起  ７、７ａ      折り返し部  ７０          折り返し部になる部位  ７１          肉厚部  ８、９        フィルム  ９１          フィルム本体部  ９２          フィルム把持部  ９３          折り返し部  １１          乾燥綿  １２          弱シール部  １２１、１２２、１２３  辺  １３          弾性部材  １４          渦巻き状部
【図１】
2014132924.tif 000003
【図２】
2014132924.tif 000004
【図３】
2014132924.tif 000005
【図４】
2014132924.tif 000006
【図５】
2014132924.tif 000007
【図６】
2014132924.tif 000008
【図７】
2014132924.tif 000009
【図８】
2014132924.tif 000010
【図９】
2014132924.tif 000011
【図１０】
2014132924.tif 000012
【図１１】
2014132924.tif 000013
【図１２】
2014132924.tif 000014
【図１３】
2014132924.tif 000015
【国際調査報告】
2014132924.tif 000016
2014132924.tif 000017
2014132924.tif 000018
2014132924.tif 000019
2014132924.tif 000020
2014132924.tif 000021
2014132924.tif 000022